(57)【特許請求の範囲】
【請求項１】
便器のボール面に形成された尿溜り部および保存液容器に向かってそれぞれ進退するアームを有する尿糖センサ進退機構と、
前記尿溜り部を排水により洗浄すると共に洗浄後圧縮空気を吹きかけて尿溜り部に残った水を排除する機構と、
前記アームの先端に着脱自在に取り付けられ、尿糖に反応する感応部を有する尿糖センサ
を備え、
前記尿糖センサ進退機構は、前記尿糖センサを尿溜り部の尿中から引き上げて所定位置で一時停止させ所定の反応時間経過後に反応時間終了を告知するように構成された
ことを特徴とする尿糖センサ付便器。
【請求項２】
前記尿糖センサとして、酵素と発色試薬とを混合し酵素反応量が色調変化として現れる感応部を有するセンサを使用し、
前記色調変化を光学的手段により検出し、その検出値をメモリに保存しておき、直前の検出値の表示あるいは過去の検出値と併せてトレンドグラフで表示するように構成したことを特徴とする請求項１記載の尿糖センサ付便器。
【請求項３】
前記尿糖センサとして、酵素と電極を組み合わせ酵素反応によって増減する物質を電気量の変化として取り出せるセンサを使用し、
前記電気量の変化を検出し、その検出値をメモリに保存しておき、直前の検出値の表示あるいは過去の検出値と併せてトレンドグラフで表示するように構成したことを特徴とする請求項１記載の尿糖センサ付便器。
【請求項４】
血圧および脈拍を測定する血圧センサと、体温を測定する測温センサを備え、これらの出力を尿糖センサの出力と共に表示器に表示するように構成したことを特徴とする請求項１ないし３記載の尿糖センサ付便器。
【請求項５】
血圧および脈拍を測定する血圧センサと、体温を測定する測温センサを備え、これらの出力を尿糖センサの出力と共に表示器に表示すると共に、
ＩＤカードから登録者の固有の情報を読取り、その情報を前記各センサによる測定値に付加してメモリに記憶すると共に登録者別に表示器に表示できるように構成したことを特徴とする請求項１ないし３記載の尿糖センサ付便器。
【請求項６】
血圧および脈拍を測定する血圧センサと、体温を測定する測温センサを備え、ＩＤカードから登録者の固有の情報を読取り、その情報を前記各センサによる測定値に付加してメモリに記憶すると共に登録者別に表示器に表示できるように構成すると共に、前記メモリに格納した測定値はＩＣカードへの格納またはモデムを介して外部へ送信することができるように構成したことを特徴とする請求項１ないし３記載の尿糖センサ付便器。
【発明の詳細な説明】
【０００１】
【発明の属する技術分野】
本発明は、尿糖チェック用のセンサを備えた便器に関するものである。
【０００２】
【従来の技術】
家屋内に設置された水洗便器のボール面に尿溜まり部を形成すると共に水洗便器に尿データ分析装置を併設し、尿データ分析装置の昇降部材により試験紙を尿溜まりまで降ろして尿を付着させ、その後昇降部材により分析位置まで試験紙を引き上げて尿中の特定成分の分析を行う尿データ分析装置付きの便器が提案されている（例えば、特開平４−１６１８５２号参照）。
【０００３】
【発明が解決しようとする課題】
しかしながら、このような便器では次のような問題点があった。
（１）  検査の度に毎回新しい試験紙に取り替える必要がある。
（２）  密封状態に保存された容器から試験紙を取り出し挟持し、検査後にダストボックスに廃棄する等の複雑な構成の挟持機構が必要である。
【０００４】
本発明の目的は、このような点に鑑み、簡単な操作により尿糖チェックを容易に行うことができるようにした尿糖センサ付便器を提供することにある。
【０００５】
【課題を解決するための手段】
このような目的を達するために本発明では、
便器のボール面に形成された尿溜り部および保存液容器に向かってそれぞれ進退するアームを有する尿糖センサ進退機構と、
前記尿溜り部を排水により洗浄すると共に洗浄後圧縮空気を吹きかけて尿溜り部に残った水を排除する機構と、
前記アームの先端に着脱自在に取り付けられ、尿糖に反応する感応部を有する尿糖センサ
を備え、
前記尿糖センサ進退機構は、前記尿糖センサを尿溜り部の尿中から引き上げて所定位置で一時停止させ所定の反応時間経過後に反応時間終了を告知するように構成された
ことを特徴とする。
【０００６】
【作用】
便器のボール面に尿溜り部が形成されており、この尿溜り部を排水により洗い流すと共に圧縮空気を吹きかけて尿溜り部から水を排除する機構が設けられている。これにより検査用の尿が排水で薄められるのを防ぐことができる。また、尿糖センサ進退機構が、前記尿糖センサを尿溜り部の尿中から引き上げて所定位置で一時停止させ所定の反応時間経過後に反応時間終了を告知するため、適切な反応時間経過後に呈色反応を検査することができる。したがって、このような機構により、尿糖検査を高精度に行うことができる。
また、尿糖に反応する感応部を有した尿糖センサがアームの先端に着脱自在に取り付けられる。アームは尿糖センサ進退機構により進退させることができるので、尿糖センサを所定位置にセットすることができる。尿糖検査終了後は、尿糖センサの感応部を水で洗い流し、保存液を塗布しておくことにより、何回でも繰り返し使用することが可能である。これにより、極めて簡単な操作で尿糖検査を行うことができる。
【０００７】
【発明の実施の形態】
以下図面を用いて本発明を詳しく説明する。図１は本発明に係る尿糖センサ付便器の全体斜視図である。
【０００８】
便器１において、２は便器１の後部に設けられたボックス部、３はボール面、４はアーム、５はアーム４の先端に着脱自在に取り付けられた尿糖センサ、６はスイッチである。
ボックス部２内にはアーム４を進退させる等の機能を有する駆動機構（図示せず）が内蔵されており、ボックス部２表面に配置されたスイッチ６により作動させることができるようになっている。
【０００９】
スイッチ６には開始および終了のボタンスイッチがあり、開始ボタンを押すと、アーム４がボール面３の前方へせり出し、終了ボタンを押すとアーム４が所定位置まで後退しそこで尿糖センサ部の水洗を行うようになっている。
【００１０】
尿糖センサ５は尿糖に化学的に反応して変色する感応部（センサ部）を有するもので、使用後は保存液を塗布しておくことにより何回でも使用に耐え得るものを用いる。
酵素は一般に優れた基質特異性を有すると共に固定化技術により繰り返し安定して使用でき、既に食品工業分野や臨床検査分野等で幅広く利用されている。本願発明の尿糖センサ５としても、このような酵素と発色試薬とを混合し酵素反応量が色調変化として現れるセンサを用いるのが望ましい。
【００１１】
このような構成における動作を説明する。まずスイッチ６の開始ボタンを押す。駆動機構によりアーム４が駆動され尿糖センサ５が所定位置まで送り出される。尿糖センサ５に尿をかけ所定時間後にセンサの反応色を観察する。反応色により尿糖の程度を判断することができる。
【００１２】
検査後はスイッチ６の終了ボタンを押す。駆動機構の働きにより自動的にアーム４が所定の位置まで後退し、停止したところで水で尿糖センサ５部の洗浄が行われる。洗浄後、尿糖センサ５には保存液を塗布しておく。
【００１３】
このようにして、簡単な操作で何回でも尿糖検査を行うことができる。なお、尿糖センサ５はアーム４にコネクタ等で簡単に着脱自在に取り付けられているので、特性に劣化を来した場合に新品に取り替える作業もいたって簡単である。
【００１４】
図２は本発明の他の実施例である。なお、図３にその側断面図を示す。ボール面３の側部には尿溜まり部（採尿位置）７が形成されており、ボール面３には排出された尿が尿溜り部７に流れ込むように浅い溝が形成されている。
【００１５】
ボックス部２内には尿糖センサ進退機構１０が配設されている。尿糖センサ進退機構１０は、上端部で回動可能に枢支されたスライダ１１と、このスライダ１１に沿って上下にスライド可能なアーム１２と、アーム１２の先端に取り付けられた尿糖センサ５と、尿糖センサ５用の保存液容器１３と、スライダ１１の回転やアーム１２のスライド等の駆動制御等の機能を有する駆動部１４とを備えている。
なお、尿糖センサ５は、例えばコネクタにより、図１におけると同様アーム１２に着脱自在に取り付けられている。
【００１６】
まずこのような構成における動作を次に説明する。はじめに、排水により尿溜り部７を洗い流す。なお、更に圧縮空気を吹きかける等（その機構については図示を省略）して尿溜り部７から水を排除しておくのが望ましい。
【００１７】
排尿により尿溜り部７に尿が溜まった時点で、尿糖センサ進退機構１０のスイッチ（図示せず）を押し駆動機構を作動させる。駆動機構により次の一連の動作が行われる。すなわち、スライダ１１が回転して所定の角度に傾き、続いてアーム１２が下降し、アーム１２の先端に取り付けられた尿糖センサ５が尿溜り部７の尿中に侵漬したところで所定時間停止する。
【００１８】
その後アーム１２は所定位置（図３の点線で示す位置）まで上昇して一時停止する。あらかじめ設定した所定の反応時間だけ経過すると、尿糖センサ進退機構１０のブザー（図示せず）が鳴動する。この時点で、尿糖センサ５の反応色を見て尿糖をチェックする。この場合、尿糖センサ５の近傍（例えばアーム）に尿糖の程度（−、±、＋、＋＋、＋＋＋）とその色調を対にした比較用色調シール（防水型のシール）等を貼っておくと目視検査に便利である。
【００１９】
観察後はスイッチを押して尿糖センサ進退機構１０を再び作動させる。尿糖センサ進退機構１０は、排水を行って尿糖センサ５を洗い流した後アーム１２を上昇させると共に回転させて垂直状態に保ち、続いてアーム１２を降下させて尿糖センサ５を保存液容器１３に挿入する。尿糖センサ５は次回使用時まで保存液中に浸され保存される。
【００２０】
以上のように極めて簡単な操作、すなわちボタン操作だけで、一連の動作が自動的に行われる。
なお、上記実施例では色調変化を目視により観察する例を述べたが、光学的手段により自動検出するようにしてもよい。
【００２１】
光学的手段により検出する検出装置としては、例えば、闇箱の中に発光素子と受光素子を設け、尿糖センサ１３をこの闇箱に挿入し発光素子によりセンサ部を照らしその反射光を受光素子で受け色調変化を電気信号に変換して検出するように構成したもの等を使用することができる。
【００２２】
また、他の尿糖センサとしては、酵素と電極を組み合わせて酵素反応によって増減する物質を電気化学的に検出し、電気量の変化から尿糖を検出するセンサを用いることもできる（この種のセンサとしては特開平７−１５９３６６号に記載がある）。
【００２３】
このような尿糖センサを用いる場合は、尿糖センサ進退機構１０に電気量変化をとらえることのできる電気回路を備える必要がある。図４にその回路の構成例を示す。尿糖センサ５ａの出力（アナログ信号）を検出器２１で適宜増幅すると共に増幅された信号をデジタル変換する。
【００２４】
演算制御回路２２では反応時間終了信号（尿糖センサ進退機構１０より与えられる信号であり、反応時間経過後にアクティブとなる）がアクティブになると検出器２１の出力を読み取り、適宜の補正（非直線性や感度等の補正）やスケーリングを行い、尿糖の程度を数値化あるいはグラフ化して表示器２３に表示する。同時に、その測定データはメモリ２４に保存しておく。
【００２５】
メモリ２４は例えば１ケ月分とか半年分のデータを記憶するに十分な容量を有し、演算制御回路２２は必要に応じて過去のデータを読み出し表示器２３にトレンドグラフで表示させることができる。
なお、尿糖センサの色調変化を光学的手段により読み取る場合でも、検出器２１を光学的手段により読み取る検出器に置き換えるだけで上記と同様に測定データの表示やトレンドグラフの表示が可能となる。
【００２６】
また、検査データは表示のみに留まらず、プリンタに印刷させるようにすることも可能である。
また、センサとしては、尿糖センサの他に、蛋白尿を検出できるセンサに差し替えて尿中の蛋白を検出するようにすることもできる。更に、１個のセンサの中に尿糖用と蛋白用のセンサを併存させ同時に尿糖と蛋白を検出できるように作製しこれを用いてもよい。この場合、検出器２１および演算制御回路２２では尿糖と蛋白のデータを個別に処理できる機能が必要である。
【００２７】
更にまた、尿糖（および蛋白）の検査ばかりでなく、他の生体データ等を収集し管理できるようにすることもできる。図５は図２に示す便器の側面部に第２のボックス部３０を配設したものである。
【００２８】
ボックス部３０の上面には、指先を挿入して血圧や脈拍を検出することのできる血圧センサ３１、収納部からリード線を引き出して脇下での体温測定を可能とする測温センサ３２、複数の押しボタンを備えた操作スイッチ３３、液晶等を使用し文字およびグラフ表示等が可能な表示部３４、専用のＩＤカードを挿入するＩＤカード挿入口３５、データ保存用のＩＣカードを挿入するＩＣカード挿入口３６がそれぞれ配設されている。
【００２９】
図６は尿糖センサおよび検出器も含めた前記ボックス部３０の電気的構成図である。各センサ５ａ、３１、３２の出力は検出器２１，２１ａ，２１ｂでそれぞれ検出され、マルチプレクサ３７により択一的に選択され、演算制御回路３８に導かれる。各センサによる測定データはメモリ４１に記憶されるが、各データには時計３９からの時刻データとＩＤカード読取器３９で読取ったＩＤ情報（ＩＤ登録者の固有のデータ）が付加される。
【００３０】
メモリ４１には複数の測定データを記憶することができ、操作スイッチ３３による指示によりＩＤカード４０ａの登録者別に測定直後のデータ（尿糖、血圧、脈拍、体温の各データ）や数日分のデータを読み出して、測定１回分のデータ表示あるいは数日分にわたるトレンド表示等を行うことができる。測定データにＩＤカード情報を付加することにより、複数の人が同一便器で順不同に検査しても何ら支障はなく、各自のデータは個別にそれぞれ正しく読み出され、表示することができる。
【００３１】
また、メモリ４１に格納されたデータは必要に応じてＩＣカード書込器４２を介してＩＣカード４２ａに出力することができる。ＩＣカードに保存したデータは、健康管理システムのコンピュータで直接読み取ることができ、健康管理データとして有効に利用することができる。
【００３２】
更にまた、メモリ４１に保存されたデータはモデム４３を介して通信回線経由でホームドクターあるいは総合病院等の医療機関に送信することができ、わざわざ先方に出向かなくても手軽に生体データを送り管理してもらえるという便利さがある。
【００３３】
なお、時刻設定やＩＣカードへの出力、表示方式の選択、モデムによるデータ送信等の各設定および指令はすべて操作スイッチ３３で行うことができる。演算制御回路３８はその操作スイッチ３３での入力情報に基づいて必要な処理や制御を自動的に行う。
【００３４】
本発明の以上の説明は、説明および例示を目的として特定の好適な実施例を示したに過ぎない。したがって本発明はその本質から逸脱せずに多くの変更、変形をなし得ることは当業者に明らかである。
【００３５】
【発明の効果】
以上説明したように本発明によれば、簡単な操作により尿糖チェックを容易に行うことができ、健康管理上きわめて便利な便器となり得る。
また、尿溜り部の水を排除するようにしたため検査用の尿が排水で薄められるのを防止でき、また、所定の反応時間経過後に反応時間終了が告知されるので適切な時間経過後に呈色反応を検査することができるため、尿糖検査を高精度に行うことができるという効果がある。
また、検査値を電気的に収集できる構成とすることにより、採取されたデータは適宜の形式で表示あるいは印刷でき、自己管理の上でも大いに役立つという効果がある。
更に、採取したデータをパーソナルコンピュータに取り込んだり、通信回線で送信したりする構成とした場合は、採取したデータをより高度な管理に役立てることができる。したがって、このような便器は、医療システムの一端末としても有効に機能する便器となり得るものである。
【図面の簡単な説明】
【図１】本発明に係る尿糖センサ付便器の一実施例を示す斜視図
【図２】本発明の他の実施例を示す構成図
【図３】図２の便器の側断面図
【図４】図３における電気的構成図
【図５】本発明の更に他の実施例を示す構成図
【図６】図５の便器に係る電気的構成図である。
【符号の説明】
１  便器
２，３０  ボックス部
３  ボール面
４，１２  アーム
５，５ａ  尿糖センサ
６  スイッチ
７  尿溜り部
１０  尿糖センサ進退機構
１１  スライダ
１３  保存液容器
１４  駆動部
２１，２１ａ，２１ｂ  検出器
２２，３８  演算制御回路
２３，３４  表示器
２４，４１  メモリ
３１  血圧センサ
３２  測温センサ
３３  操作スイッチ
３５  ＩＤカード挿入口
３６  ＩＣカード挿入口
３７  マルチプレクサ
３９  時計
４０  ＩＤカード読取器
４０ａ  ＩＤカード
４２  ＩＣカード読取器
４２ａ  ＩＣカード
４３  モデム
【図１】
0003551285.tif 000002
【図２】
0003551285.tif 000003
【図３】
0003551285.tif 000004
【図４】
0003551285.tif 000005
【図５】
0003551285.tif 000006
【図６】
0003551285.tif 000007